(57)【要約】【課題】ガイドレールに摺動係合するガイドシューの摩耗状態を効率よく、かつ安価に点検できるエレベータのガイド装置の提供。【解決手段】乗かご２に、給油体４，８およびガイド体５，７を備えるとともに、ガイド体５，７のガイドシュー１４の摩耗に応じてガイドレール３に当接して潤滑油を削ぎ落とすスクレーパ２０，２１を備えた。これにより、ガイドシュー１４の摩耗時に、スクレーパ２０，２１がガイドレール３当接面に付着した潤滑油を削ぎ落すので、前記の当接面の摩擦係数が上昇し、ガイドレール３とガイドシュー１４間で摺動音が発生してガイドシュー１４の磨耗を報知する。【選択図】　　　　図１
2004123331.tif 000002
【特許請求の範囲】
【請求項１】
昇降路内に立設されるガイドレールを有し、前記昇降路を昇降する乗かごに、前記ガイドレールへ潤滑油を供給する給油体と、前記ガイドレールに摺動係合するガイドシューとを備え、前記ガイドレールに沿って前記乗かごを案内するエレベータのガイド装置において、
前記乗かごに、前記ガイドシューの摩耗に応じて前記ガイドレールに当接して前記潤滑油を削ぎ落とすスクレーパを設けるとともに、このスクレーパを、前記ガイドシューと前記給油体との間に配置したことを特徴とするエレベータのガイド装置。
【請求項２】
請求項１記載のエレベータのガイド装置において、前記スクレーパを、前記ガイドシューの摩耗時に前記ガイドシューを挟んだ上下位置で前記ガイドレールに当接するように配置したことを特徴とするエレベータのガイド装置。
【請求項３】
請求項１または請求項２に記載のエレベータのガイド装置において、前記スクレーパを、前記ガイドシューが交換を必要とする摩耗限界位置またはその近傍まで摩耗した際に前記ガイドレールと当接するように配設したことを特徴とするエレベータのガイド装置
【発明の詳細な説明】
【０００１】
【発明の属する技術分野】
本発明は、ガイドレールに沿って乗かごを案内するエレベータのガイド装置に関する。
【０００２】
【従来の技術】
エレベータのガイド装置、例えば乗かごガイド装置では、乗かごの四方に設けられたガイドシューがガイドレールに摺動係合することにより、乗かごがガイドレールに沿って走行するよう乗かごの走行位置を決めている。
【０００３】
図３はこの種の従来のエレベータのガイド装置を示す側面図、図４は図３のガイド装置の要部構成を示す横断面図である。
【０００４】
図３に示すエレベータは、昇降路１内を昇降する乗かご２を有している。従来のエレベータのガイド装置は、昇降路１の全行程に渡り立設されるガイドレール３を備えるとともに、乗かご２の上部に、ガイドレール３に潤滑油を供給する給油体４と、ガイドレール３に係合し、乗かご２を案内するガイド体５とが設置され、乗かご２の下部に、乗かご２を非常停止させる非常止め装置６と、ガイドレール３に係合し、乗かご２を案内する他のガイド体７と、ガイドレール３に潤滑油を供給する給油体８とが設置されている。乗かご２の上部の側端には、Ｌ字形状のブラケット９が取付けられ、このブラケット９上に、平板状のブラケット１０が取付けられている。乗かご２の底部の側端には、コの字形状ブラケット１１が取付けられ、このブラケット１１の下方に、他のコの字形状ブラケット１２が取付けられ、このブラケット１２の下方に、平板状のブラケット１３が取付けられている。
【０００５】
上部のガイド体５はブラケット９の側部に固定され、下部のガイド体７はブラケット１２の側部に固定されている。また上部のガイド体５は、図４に示すように、ガイドレール３と摺動するガイドシュー１４と、このガイドシュー１４を保持する保持部１５とからなり、下部のガイド体７も同様である。なお、図４の一点差線１６は、ガイドシュー１４の交換を必要とする摩耗限界位置を示している（摩耗許容値Ｌ）。
【０００６】
上部の給油体４はブラケット１０上に載置され、下部の給油体８はブラケット１３の下部に固定されている。これらの給油体４、８は、それぞれ乗かご２の昇降に応じてガイドレール３と摺動してガイドレール３の当接面へ潤滑油を供給するようになっている。
【０００７】
また、非常止め装置６はブラケット１１の側部に固定され、図示しない速度計により乗かご２の過速度を検出した際に、ガイドレール３を把持することにより乗かご２を非常停止させるもので、図４に示すように非常止めローラ１７を内蔵している。
【０００８】
そして、上述した従来のエレベータのガイド装置では、上部のガイド体５のガイドシュー１４がガイドレール３と摺動していることから、ガイドシュー１４の当接面が摩耗してガイドレール３とガイドシュー１４との隙間が発生するため、この隙間により乗かご２の位置決め精度が悪化してしまう。この場合、乗かご２の乗心地に影響するばかりか、乗かご２とガイドレール３との位置関係が変わってしまい非常止め装置６等の性能にも影響を与えることから、ガイドシュー１４の摩耗状態を定期的に点検する必要がある。また、下部のガイド体７でも同様である。
【０００９】
そこで従来、電気的な検出端子や出力信号の検出手段を備え、ガイドシューの摩耗状態を点検する乗かごガイド装置の摩耗検出装置が提案されている（例えば、特許文献１参照。）。
【００１０】
【特許文献１】
特開平９−７１３７２号公報（段落番号００１８〜００３１、図１〜７）
【００１１】
【発明が解決しようとする課題】
ところで、上述した従来の乗かごガイド装置の摩耗検出装置では、電気的な検出端子や出力信号の検出手段が必要なことから、摩耗したガイドシューの交換の作業効率が悪いだけでなく、装置費用がかかることから経済的にも問題がある。
【００１２】
本発明は、上述した従来技術における実情に鑑みてなされたもので、その目的は、ガイドレールに摺動係合するガイドシューの摩耗状態を効率よく、かつ安価に点検することのできるエレベータのガイド装置を提供することにある。
【００１３】
【課題を解決するための手段】
上記目的を達成するため、本発明の請求項１に係わる発明は、昇降路内に立設されるガイドレールを有し、前記昇降路を昇降する乗かごに、前記ガイドレールへ潤滑油を供給する給油体と、前記ガイドレールに摺動係合するガイドシューとを備え、前記ガイドレールに沿って前記乗かごを案内するエレベータのガイド装置において、前記乗かごに、前記ガイドシューの摩耗に応じて前記ガイドレールに当接して前記潤滑油を削ぎ落とすスクレーパを設けるとともに、このスクレーパを、前記ガイドシューと前記給油体との間に配置した構成にしてある。
【００１４】
このように構成した請求項１に係わる発明では、乗かごに設置されるスクレーパがガイドシューの摩耗に応じてガイドレールに当接することにより、ガイドレール当接面に付着した潤滑油を削ぎ落すので、このガイドレール当接面の摩擦係数が上昇し、ガイドレールとガイドシューとの間で摩擦抵抗により異常摺動音が発生する。これによって、ガイドシューが摩耗したことを乗かご内または乗場にて知ることができ、効率よくガイドシューの摩耗状態が点検可能となる。また、従来のように電気的な検出端子や出力信号の検出手段を設ける必要がないことから、経済的なエレベータのガイド装置を提供することができる。
【００１５】
また本発明の請求項２に係わる発明は、請求項１に係わる発明において、前記スクレーパを、前記ガイドシューの摩耗時に前記ガイドシューを挟んだ上下位置で前記ガイドレールに当接するように配置した構成にしてある。
【００１６】
このように構成した請求項２に係わる発明では、ガイドシューを挟んだ上下位置でガイドレールに当接するようスクレーパを配置したため、ガイドシューが摩耗したとき、乗かごの上昇及び下降時にスクレーパの摺動によりガイドレール当接面の潤滑油を十分に削ぎ落とすので、確実に異常摺動音を発生させることができ、これによって、ガイドシューの摩耗状態をより正確に点検可能である。
【００１７】
また、本発明の請求項３に係わる本発明は、請求項１または請求項２に係わる発明において、前記スクレーパは前記ガイドシューが交換を必要とする摩耗限界位置またはその近傍まで摩耗した際に前記ガイドレールと当接するよう配設した構成にしてある。
【００１８】
このように構成した請求項３に係わる発明では、ガイドシューが交換を必要とする摩耗限界位置またはその近傍まで摩耗した際に、ガイドレールがスクレーパに当接するので、ガイドシューの交換時期またはその時期が迫っていることを異常摺動音により適切な時期に知ることができ、これによって、エレベータのガイド装置を保守点検する際に作業効率を向上させることができる。
【００１９】
【発明の実施の形態】
以下、本発明のエレベータのガイド装置の実施の形態を図に基づき説明する。
【００２０】
図１は本発明の一実施形態に係わるエレベータのガイド装置を示す側面図、図２は図１のガイド装置の要部構成を示す横断面図である。なお、図１、図２において前述した図３、図４に示すものと同等のものには同一符号を付してある。
【００２１】
図１に示す本実施形態のエレベータのガイド装置は、図３、図４に示すものと比べて、乗かご２の上部及び下部のそれぞれに、ガイドシュー１４の摩耗に応じてガイドレール３に当接して潤滑油を削ぎ落とすスクレーパ２０，２１を備えたことが異なっており、その他の構成は基本的に同様である。上部のスクレーパ２０は、乗かご２上部のブラケット９、１０間に介設され、上部のガイド体５と給油体４との間に位置している。同様に、下部のスクレーパ２１は、乗かご２下部のブラケット１２、１３間に介設され、下部のガイド体７と給油体８との間に位置している。
【００２２】
図２に示すようにスクレーパ２０の端縁部２２は、ガイドシュー１４の摩耗限界位置を示す一点差線１６に沿って配設されており、ガイドシュー１４が上記の摩耗限界位置まで摩耗したなら、スクレーパ２０の端縁部２２がガイドレール３に当接するようになっている。また、下部のスクレーパ２１も同様である。
【００２３】
この実施形態にあっては、上部のガイド体５のガイドシュー１４が摩耗限界位置を示す一点差線１６の位置まで摩耗したとき、乗かご２に設置されるスクレーパ２０の端縁部２２がガイドレール３の当接面に当接することにより、この当接面に付着している潤滑油膜を削ぎ落とすので、ガイドレール３当接面の摩擦係数が上昇し、ガイドレール３とガイドシュー１４との間で摩擦抵抗により異常摺動音が発生する。また、下部のスクレーパ２１でも同様である。
【００２４】
このように構成した実施形態では、ガイドシュー１４が摩耗したことを上記の異常摺動音の発生によって乗かご２内または乗場にて知ることができ、効率よくガイドシュー１４の摩耗状態が点検可能となる。さらに、スクレーパ２０，２１自身がガイドレール３に接触しているため、乗かご２の停止前や走行開始時の低速走行状態でスティックスリツプを発生して異常音やびびり振動を起こし、ガイドシュー１４の摩耗限界にあることをより容易に検知できる。したがって、保守員が定期に訪問して行う定期点検以外に上記の異常音が発生したとき、エレベータの利用客にも異常状態が判断でき、これに伴い、利用客により保守会杜へ通報があれば、エレベータの重要事故を未然に防ぐことができる。
【００２５】
また、本実施形態では、従来のように電気的な検出端子や出力信号の検出手段を設ける必要がないことから、経済的なエレベータのガイド装置１８，１９を提供することができる。
【００２６】
なお、上記実施形態では、スクレーパ２０，２１を上部ガイド体５の上部及び下部ガイド体７の下部に取付けた場合を例示したが、さらに加えて上部ガイド体５の下部及び下部ガイド体７の上部にもスクレーパを取付ければ、ガイドシュー１４が摩耗限界まで達した場合、乗かご２の上昇及び下降時にスクレーパ２０，２１の摺動によりガイドレール３当接面の潤滑油を十分に削ぎ落して確実に異常摺動音を発生させることができ、ガイドシュー１４の摩耗状態をより正確に点検可能である。すなわち、ガイドシュー１４への潤滑油を確実に削ぎ取る効果は、ガイドシュー１４を挟むようにその上下位置の両方にスクレーパを取付けた方が良い。
【００２７】
また、上記実施形態では、ガイドシュー１４が交換を必要とする摩耗限界位置（図２の一点差線１６で示す位置）に沿ってスクレーパ２０の端縁部２２が位置するよう配設した場合を例示したが、上記の摩耗限界位置よりも手前側（図２の一点差線１６よりも内側）に、端縁部２２が位置するよう配設することにより、より早くガイドシュー１４の交換時期を知ることができ、余裕を持ったガイドシュー１４の点検交換作業を実現できる。
【００２８】
また、上記実施形態では、スクレーパ２０，２１でガイドレール３当接面の潤滑油を削ぎ落とし、この状態でガイドレール３にガイドシュー１４が摺動して異常音を発生するようにしたが、さらにガイドシュー１４に、ガイドシュー１４自身の摩耗に伴い露出する異常音発生手段を埋設して、この異常音発生手段がガイドレール３と摺動して異常音を発生するよう構成すれば、スクレーパ２０，２１でガイドレール３当接面の潤滑油膜は削ぎ落とされているため、異常音発生手段とガイドレール３との異常摺動音がよりいっそう効果的に発生する。
【００２９】
【発明の効果】
以上説明したように、本発明によれば、ガイドレールに摺動係合するガイドシューが摩耗した場合、ガイドシューとガイドレールとの摺動音が変化することから、ガイドシューの摩耗状態がエレベータの乗かご内または乗場においても容易に判別できるとともに、従来のように電気的な検出端子や出力信号の検出手段を設ける必要がないので、ガイドシューの摩耗状態を効率よく、かつ安価に点検することができる。
【図面の簡単な説明】
【図１】本発明の一実施形態に係わるエレベータのガイド装置を示す側面図である。
【図２】図１のガイド装置の要部構成を示す横断面図である。
【図３】従来のエレベータのガイド装置を示す側面図である。
【図４】図３のガイド装置の要部構成を示す横断面図である。
【符号の説明】
１　昇降路
２　乗かご
３　ガイドレール
４　給油体
５　ガイド体
７　ガイド体
８　給油体
１４　ガイドシュー
１５　保持部
２０、２１　スクレーパ
２２　端縁部
【図１】
2004123331.tif 000003
【図２】
2004123331.tif 000004
【図３】
2004123331.tif 000005
【図４】
2004123331.tif 000006